(57)【要約】【課題】太陽電池モジュール本体をサポート部材の適切な位置に固定することが固定させることが可能な太陽電池モジュール、太陽電池モジュールのサポート部材、太陽光発電システム及び太陽電池モジュールの固定方法を提供する。【解決手段】支持レール１１（サポート部材）は、太陽電池モジュール本体１１を勘合させる段差部１２ｈを有し、支持レール１１の段差部１２ｈは、太陽電池モジュール本体１１を接着固定する接着剤Ｂを塗布するための接着段１２ｊ及び太陽電池モジュール本体１１を載置させる載置段１２ｉを有する階段状をなす。【選択図】図１７
2014011196.tif 000002
【特許請求の範囲】
【請求項１】
太陽電池モジュール本体と、前記太陽電池モジュール本体の裏面に固定されたサポート部材とを備える太陽電池モジュールであって、
前記サポート部材は、前記太陽電池モジュール本体を勘合させる段差部を有する
ことを特徴とする太陽電池モジュール。
【請求項２】
請求項１に記載の太陽電池モジュールであって、
前記サポート部材に、前記太陽電池モジュール本体を接着固定する接着部材を更に備える
ことを特徴とする太陽電池モジュール。
【請求項３】
請求項２に記載の太陽電池モジュールであって、
前記サポート部材の段差部は、前記接着部材を接着させる接着段及び前記太陽電池モジュール本体を載置させる載置段を有する階段状をなす
ことを特徴とする太陽電池モジュール。
【請求項４】
請求項１から請求項３までのいずれか１項に記載の太陽電池モジュールであって、
前記サポート部材は、長尺状をなし、
前記太陽電池モジュール本体は、矩形平板状をなし、
前記太陽電池モジュール本体の長辺又は短辺が、前記サポート部材の長手方向と略直角をなすように固定され、
前記サポート部材には、前記サポート部材の長手方向と略直角をなす一対の辺を挟持すべく、対となる前記段差部が設けられている
ことを特徴とする太陽電池モジュール。
【請求項５】
請求項４に記載の太陽電池モジュールであって、
前記サポート部材は、長手方向が並行になるように複数本配置され、
前記各サポート部材には、複数の前記太陽電池モジュール本体が前記各サポート部材上に架け渡した状態で併設されている
ことを特徴とする太陽電池モジュール。
【請求項６】
太陽電池モジュール本体の裏面を固定する太陽電池モジュールのサポート部材であって、
前記太陽電池モジュール本体を勘合させる段差部を有する
ことを特徴とする太陽電池モジュールのサポート部材。
【請求項７】
請求項１から請求項５までのいずれか１項に記載の太陽電池モジュールと、
前記太陽電池モジュールが備える前記サポート部材の端部が載置される架台と、
前記端部を前記架台に固定する固定部と
を備えることを特徴とする太陽光発電システム。
【請求項８】
太陽電池モジュール本体の裏面を、サポート部材に固定する固定方法であって、
前記サポート部材は、前記太陽電池モジュール本体を勘合させる段差部を有し、
前記サポート部材の段差部に、前記太陽電池モジュール本体を勘合させて固定する
ことを特徴とする太陽電池モジュールの固定方法。
【請求項９】
請求項８に記載の太陽電池モジュールの固定方法であって、
前記サポート部材に接着部材を塗布する工程と、
前記サポート部材に前記太陽電池モジュール本体の裏面を載置する工程と、
前記太陽電池モジュール本体の裏面と前記サポート部材とを接着固定する工程と
を含むことを特徴とする太陽電池モジュールの固定方法。
【請求項１０】
請求項８に記載の太陽電池モジュールの固定方法であって、
前記段差部は、前記太陽電池モジュール本体の裏面を接着固定する接着部材を塗布する接着段、及び前記太陽電池モジュール本体を載置する載置段を有する階段状をなし、
前記接着段に前記接着部材を塗布する工程と、
前記載置段に前記太陽電池モジュール本体の裏面を載置する工程と、
前記太陽電池モジュール本体の裏面と前記接着段とを前記前記接着部材の接着厚みを確保しつつ接着固定する工程と
を含むことを特徴とする太陽電池モジュールの固定方法。
【発明の詳細な説明】
【技術分野】
【０００１】
本発明は、太陽電池モジュール本体と前記太陽電池モジュール本体の裏面に固定されたサポート部材とを備える太陽電池モジュール、前記太陽電池モジュールのサポート部材、太陽光発電システム、及び太陽電池モジュールの固定方法に関する。
【背景技術】
【０００２】
太陽電池モジュール本体を備えた従来の太陽電池モジュールのなかには、太陽電池モジュールを設置するために、太陽電池モジュール本体の裏面とサポート部材（例えば長尺形状のサポート部材）の太陽電池モジュール本体に対する接着面とを接着部材を介して接着したものがある（例えば特許文献１参照）。
【先行技術文献】
【特許文献】
【０００３】
【特許文献１】特開２０１１−２２２９３０号公報
【発明の概要】
【発明が解決しようとする課題】
【０００４】
特許文献１等に記載された形態の太陽電池モジュールは、通常、設置台（例えば架台）に対して、太陽電池モジュール本体の裏面に設けられたサポート部材が設置台に取り付けられることによって、各太陽電池モジュール本体が所定の設置位置に設置される。このため、太陽電池モジュール本体がサポート部材の適切な位置に固定されることが重要である。
【０００５】
本発明は斯かる事情に鑑みてなされたものであり、太陽電池モジュール本体をサポート部材の適切な位置に固定させることができる太陽電池モジュール、太陽電池モジュールのサポート部材、太陽光発電システム及び太陽電池モジュールの固定方法を提供することを目的とする。
【課題を解決するための手段】
【０００６】
上記課題を解決するため、本発明の太陽電池モジュールは、太陽電池モジュール本体と、前記太陽電池モジュール本体の裏面に固定されたサポート部材とを備える太陽電池モジュールであって、前記サポート部材は、前記太陽電池モジュール本体を勘合させる段差部を有することを特徴とする。
【０００７】
本発明によれば、太陽電池モジュール本体を段差部に勘合させて適切な位置に固定することができる。
【０００８】
また、本発明の太陽電池モジュールは、前記サポート部材に、前記太陽電池モジュール本体を接着固定する接着部材を更に備えることを特徴とする太陽電池モジュール。
【０００９】
本発明によれば、接着部材を用いて接着固定することができる。
【００１０】
また、本発明の太陽電池モジュールは、前記サポート部材の段差部は、前記接着部材を接着させる接着段及び前記太陽電池モジュール本体を載置させる載置段を有する階段状をなすことを特徴とする。
【００１１】
本発明によれば、接着部材を適切な位置に用いて接着固定することができる。
【００１２】
また、本発明の太陽電池モジュールは、前記サポート部材は、長尺状をなし、前記太陽電池モジュール本体は、矩形平板状をなし、前記太陽電池モジュール本体の長辺又は短辺が、前記サポート部材の長手方向と略直角をなすように固定され、前記サポート部材には、前記サポート部材の長手方向と略直角をなす一対の辺を挟持すべく、対となる前記段差部が設けられていることを特徴とする。
【００１３】
本発明によれば、矩形平板状をなす太陽電池モジュール本体を２方向から挟持して、確実に固定することができる。
【００１４】
また、本発明の太陽電池モジュールは、前記サポート部材は、長手方向が並行になるように複数本配置され、前記各サポート部材には、複数の前記太陽電池モジュール本体が前記各サポート部材上に架け渡した状態で併設されていることを特徴とする。
【００１５】
本発明によれば、長尺状のサポート部材に対して複数の太陽電池モジュール本体を固定する際に発生し易い位置決め不良を確実に抑制することができる。
【００１６】
本発明の太陽電池モジュールのサポート部材は、太陽電池モジュール本体の裏面を固定する太陽電池モジュールのサポート部材であって、前記太陽電池モジュール本体を勘合させる段差部を有することを特徴とする。
【００１７】
本発明によれば、太陽電池モジュール本体を段差部に勘合させることが可能であり、適切な位置に固定することができる。
【００１８】
本発明の太陽光発電システムは、前記太陽電池モジュールと、前記太陽電池モジュールが備える前記サポート部材の端部が載置される架台と、前記端部を前記架台に固定する固定部とを備えることを特徴とする。
【００１９】
本発明によれば、上記構造の太陽電池モジュールを用いて構築されているので、上記太陽電池モジュールと同様の作用効果を奏する。
【００２０】
本発明の太陽電池モジュールの固定方法は、太陽電池モジュール本体の裏面を、サポート部材に固定する固定方法であって、前記サポート部材は、前記太陽電池モジュール本体を勘合させる段差部を有し、前記サポート部材の段差部に、前記太陽電池モジュール本体を勘合させて固定することを特徴とする。
【００２１】
本発明によれば、太陽電池モジュール本体を段差部に勘合させることで、適切な位置に固定することができる。
【００２２】
また、本発明の太陽電池モジュールの固定方法は、前記サポート部材に接着部材を塗布する工程と、前記サポート部材に前記太陽電池モジュール本体の裏面を載置する工程と、前記太陽電池モジュール本体の裏面と前記サポート部材とを接着固定する工程とを含むことを特徴とする。
【００２３】
本発明によれば、接着部材を用いて接着固定することができる。
【００２４】
また、本発明の太陽電池モジュールの固定方法は、前記段差部は、前記太陽電池モジュール本体の裏面を接着固定する接着部材を塗布する接着段、及び前記太陽電池モジュール本体を載置する載置段を有する階段状をなし、前記接着段に前記接着部材を塗布する工程と、前記載置段に前記太陽電池モジュール本体の裏面を載置する工程と、前記太陽電池モジュール本体の裏面と前記接着段とを前記前記接着部材の接着厚みを確保しつつ接着固定する工程とを含むことを特徴とする。
【００２５】
本発明によれば、例えば、階段状の段差部の下段を接着部材の塗布代として用いることができるので、太陽電池モジュール本体を適切な位置に接着固定することができる。
【発明の効果】
【００２６】
以上説明したように、本発明によると、サポート部材が有する段差部に、太陽電池モジュール本体を勘合させることができるので、太陽電池モジュール本体をサポート部材の適切な位置に固定させることが可能となる等の効果を奏する。
【図面の簡単な説明】
【００２７】
【図１】本発明の実施の形態に係る太陽電池モジュール本体を一体に組み付けたサブユニットを架台に配設した状態の太陽光発電システムの全体構成を示す概略斜視図である。
【図２】図１に示す太陽光発電システムの概略左側面図である。
【図３】サブユニットを架台に設置する前の状態を示す概略分解斜視図である。
【図４】本実施の形態に係るサブユニットの概略構成を示す図であって、サブユニットを受光面側から視た概略斜視図である。
【図５】本実施の形態に係るサブユニットの概略構成を示す図であって、サブユニットを受光面とは反対側の裏面側から視た概略斜視図である。
【図６】本実施の形態に係るサブユニットの概略構成を示す図であって、サブユニットを裏面側から視た状態において一つの太陽電池モジュール本体を分解して示す概略斜視図である。
【図７】図１乃至図６に示す支持レールを示す概略斜視図である。
【図８】図１乃至図６に示す支持レールを示す概略断面図である。
【図９】各太陽電池モジュール本体が設けられた支持レールを縦方向から視た概略側面図である。
【図１０】縦桟に受け部が取り付け固定される状態を斜め上から視た概略斜視図である。
【図１１】縦桟に受け部が取り付け固定される状態を斜め下から視た概略斜視図である。
【図１２】縦桟に受け部が取り付け固定された状態を示す図１０及び図１１のＤ１−Ｄ１線に沿った概略断面図である。
【図１３】縦桟に固定された受け部に対して左右方向に隣り合う各支持レールにおける設置端部が突き合わされて固定具で固定される状態を斜め上から視た概略分解斜視図である。
【図１４】縦桟に固定された受け部に対して左右方向に隣り合う各支持レールにおける設置端部が突き合わされて固定具で固定された状態を示す図１０及び図１１のＤ２−Ｄ２線に沿った概略断面図である。
【図１５】図１乃至図６に示す支持レールの他の形態を示す概略斜視図である。
【図１６】図１乃至図６に示す支持レールの他の形態を示す概略断面図である。
【図１７】各太陽電池モジュール本体が設けられた支持レールの他の形態を縦方向から視た概略側面図である。
【図１８Ａ】本発明に係る太陽電池モジュール本体を支持レールに固定する工程を示す概略図である。
【図１８Ｂ】本発明に係る太陽電池モジュール本体を支持レールに固定する工程を示す概略図である。
【図１８Ｃ】本発明に係る太陽電池モジュール本体を支持レールに固定する工程を示す概略図である。
【図１８Ｄ】本発明に係る太陽電池モジュール本体を支持レールに固定する工程を示す概略図である。
【発明を実施するための形態】
【００２８】
以下、本発明に係る実施の形態について図面を参照しながら説明する。なお、以下の実施の形態は、本発明を具体化した例であって、本発明の技術的範囲を限定する性格のものではない。
【００２９】
＜太陽光発電システムの全体構成の説明＞
まず、本発明の実施の形態に係る太陽光発電システムＡの全体構成について図１乃至図３を参照しながら以下に説明する。
【００３０】
図１は、本発明の実施の形態に係る太陽電池モジュール本体１１を一体に組み付けたサブユニット１０を架台２０に配設した状態の太陽光発電システムＡの全体構成を示す概略斜視図である。図２は、図１に示す太陽光発電システムＡの概略左側面図である。また、図３は、サブユニット１０を架台２０に設置する前の状態を示す概略分解斜視図である。
【００３１】
なお、以下の説明においては、正面（太陽電池モジュールの表面側）に向かって各基礎２１が並ぶ方向を左右方向Ｘとし、左右方向Ｘ及び垂直方向（上下方向）Ｚの双方に直交する方向を前後方向Ｙとし、縦桟２３の傾斜方向を上下斜め方向Ｗとする。また、太陽電池モジュール本体１１の長手方向を縦方向Ｎとし、太陽電池モジュール本体１１の短手方向を横方向Ｔとする。
【００３２】
図１に示す太陽光発電システムＡは、例えば、ソーラー発電所として利用可能な構成とされている。
【００３３】
太陽光発電システムＡは、太陽電池モジュール本体１１及び支持レール１２（サポート部材の一例）を備えた太陽電池モジュールとして作用するサブユニット１０と、サブユニット１０を支持する架台２０とを備えている。
【００３４】
サブユニット１０は、架台２０に対して、上下斜め方向Ｗにｍ段（ｍは１又は２以上の整数、ここではｍ＝２）、左右方向Ｘにｎ列（ｎは１又は２以上の整数）のマトリクス状に並べられたｍ段×ｎ列に設けられている（図１参照）。架台２０は、左右方向Ｘにおいて複数（ここではｎ＋１）個列設されている。ここで、左右方向Ｘにおける両端の架台２０，２０を除く中間位置に架台２０がある場合は、中間位置にある架台２０は、左右方向Ｘに隣り合う各サブユニット１０，１０の共通の架台とされている。
【００３５】
各架台２０〜２０は、サブユニット１０の支持構造を構成し、コンクリート等からなる基礎２１、アーム部材２２及び縦桟２３を備えている。アーム部材２２及び縦桟２３は、何れも鋼板等の鋼材によって形成されている。
【００３６】
太陽光発電システムＡでは、複数（ここではｎ＋１）個の基礎２１〜２１は、地面に左右方向Ｘに等間隔に敷設されており、各基礎２１にそれぞれアーム部材２２が固定される。
【００３７】
詳しくは、各基礎２１は、上面２１１の中央部にそれぞれアーム部材２２の下端部を埋設して垂直方向Ｚに立設している。アーム部材２２は、上端部において縦桟２３の縦方向Ｎの中央部がボルト・ナット等の連結部材Ｒ（図１及び図３参照）によって連結されることにより、縦桟２３を支持している。縦桟２３は、前後方向Ｙにおいて後ろ側が高く、前側が低くなるように予め定めた所定の角度で傾斜した状態でアーム部材２２に設けられている。
【００３８】
サブユニット１０における支持レール１２は、左右方向Ｘに隣り合う各基礎２１，２１における各アーム部材２２，２２に設けられた縦桟２３，２３の間に左右方向Ｘに沿って架け渡されて縦桟２３，２３に設置されている。縦桟２３，２３は、ｍ段（ここではｍ＝２）のサブユニット１０を上下斜め方向Ｗに支持している（図１参照）。
【００３９】
具体的には、下段の列では、太陽電池モジュール本体１１〜１１の裏面に接着部材の一例である接着剤Ｂ（後述する図６参照）を介して接着固定された複数（ここでは２本）の支持レール１２，１２の両側の設置端部１２ｄ，１２ｄが、縦桟２３，２３の搭載傾斜面２３ａ，２３ａの前側複数箇所（ここでは２箇所）に取り付けられた受け部２５〜２５に嵌め入れられる構造となっている。また、上段の列では、下段の列と同様に、太陽電池モジュール本体１１〜１１の裏面に接着剤Ｂ（後述する図６参照）を介して接着固定された複数（ここでは２本）の支持レール１２，１２の両側の設置端部１２ｄ，１２ｄが縦桟２３，２３の搭載傾斜面２３ａ，２３ａの後側複数箇所（ここでは２箇所）に取り付けられた受け部２５〜２５に嵌め入れられる構造となっている。
【００４０】
そして、左右方向Ｘにおける隣り合う各サブユニット１０，１０における支持レール１２，１２の設置端部１２ｄ，１２ｄは、受け部２５内で互いに突き合わされて、サブユニット１０の支持構造を構成する固定具２４（固定部の一例、後述する図１３及び図１４参照）により固定されている。なお、かかる支持構造については後ほど詳述する。
【００４１】
＜太陽電池モジュールの説明＞
次に、本実施の形態に係るサブユニット１０の全体構成について図４乃至図６を参照しながら以下に説明する。
【００４２】
図４乃至図６は、本実施の形態に係るサブユニット１０の概略構成を示している。図４は、サブユニット１０を受光面側から視た概略斜視図であり、図５は、サブユニット１０を受光面とは反対側の裏面側から視た概略斜視図である。また、図６は、サブユニット１０を裏面側から視た状態において一つの太陽電池モジュール本体１１を分解して示す概略斜視図である。
【００４３】
サブユニット１０は、１又は複数（ここでは左右方向Ｘに連設した３個）の太陽電池モジュール本体１１〜１１と、架台２０への取り付け具を兼ねた１又は複数（ここでは横方向Ｔに平行になるように縦方向Ｎに列設した２本）の支持レール１２，１２とで構成されている。
【００４４】
太陽電池モジュール本体１１は、矩形平板状のものとされており、本実施の形態では、図６に示すように、受光面ガラス１１ｂと裏面ガラス１１ｃとの間に太陽電池セル群１１ａを挟み込み、両ガラス１１ｂ，１１ｃの端部を封止した構造となっている。すなわち、本実施の形態では、太陽電池モジュール本体１１は、合わせガラス構造の薄膜太陽電池モジュールとされており、フレームレス構造となっている。但し、太陽電池モジュール本体１１は、合わせガラス構造に限定されるものではなく、裏面ガラス１１ｃに代えてフィルム状のバックシートを用いた裏面バックシートタイプのものであってもよい。
【００４５】
太陽電池モジュール本体１１は、図示しない表面電極（透明電極膜）、半導体層（光電変換層）及び裏面電極（裏面電極膜）が順次積層されて複数の太陽電池セルからなる太陽電池セル群１１ａが形成されている。詳しくは、透光性基板である受光面ガラス１１ｂの基板上に、図示しない表面電極と、半導体層と、裏面電極とがこの順に積層されて太陽電池ストリングが形成され、裏面電極側に保護板である透光性の裏面ガラス１１ｃが貼り合わされて、両ガラス１１ｂ，１１ｃ間が封止されることにより、太陽電池モジュール本体１１が形成されている。
【００４６】
そして、サブユニット１０において、太陽電池モジュール本体１１を架台２０に取り付け可能な形状に形成された長尺状の支持レール１２が、太陽電池モジュール本体１１の裏面（ここでは裏面ガラス１１ｃの外表面）に、太陽電池モジュール本体１１の幅方向である横方向Ｔに沿って配置固定されている。
【００４７】
詳しくは、サブユニット１０は、複数（ここでは３個）の太陽電池モジュール本体１１〜１１が横方向Ｔに並べられて配設されており、複数の（ここでは２本）の支持レール１２，１２が横方向Ｔに隣り合う各太陽電池モジュール本体１１，１１の境界の方向と直交して、縦方向Ｎに一定の間隔をあけて互いに平行に配設されている。そして、サブユニット１０は、接着剤Ｂ（図６参照）を介して各太陽電池モジュール本体１１〜１１の裏面（ここでは裏面ガラス１１ｃの外表面）と支持レール１２，１２の太陽電池モジュール本体１１側の面とが重ねられて接着され、各太陽電池モジュール本体１１〜１１が支持レール１２，１２により連結支持されるようになっている。ここで、横方向Ｔに隣り合う各太陽電池モジュール本体１１，１１の間に、互いの接触による損傷を避ける観点から僅かな隙間（例えば１ｃｍ程度）を設けてもよいし、左右方向Ｘに隣り合う各太陽電池モジュール本体１１〜１１を互いに接触させてもよい。
【００４８】
このように、複数（ここでは２本）の支持レール１２を太陽電池モジュール本体１１の横方向Ｔに沿って平行に配置することで、サブユニット１０を架台２０に載置したとき、縦方向Ｎのがたつきなく、安定して、サブユニット１０を架台２０上に載置固定することができる。
【００４９】
支持レール１２は、太陽電池モジュール本体１１の縦方向Ｎに一定の間隔をあけて、横方向Ｔに沿って平行に配設されているが、本実施の形態では、太陽電池モジュール本体１１の裏面において、縦方向Ｎの中央の位置を通る横方向Ｔに平行な中央線α（図５参照）に対して対称又は略対称の位置に設けられている。詳しくは、支持レール１２の配設位置は、太陽電池モジュール本体１１の縦方向Ｎにおける両端縁から予め定めた所定の距離ｔ（図５参照）だけ縦方向Ｎの内側に寄せた位置とされている。
【００５０】
このように、支持レール１２〜１２を太陽電池モジュール本体１１の縦方向Ｎにおける両端縁から距離ｔだけ縦方向Ｎの内側に寄せた位置に配設することで、支持レール１２〜１２にかかる太陽電池モジュール本体１１の重量をバランス良く分散させることができ、これにより、支持レール１２〜１２への重量配分を均一にすることが可能となる。
【００５１】
具体的な数値を例示すると、太陽電池モジュール本体１１は、縦方向Ｎにおける長さが約１４００ｍｍ、横方向Ｔにおける長さが約１０００ｍｍの平面視長方形状とされている。各支持レール１２〜１２は、太陽電池モジュール本体１１の縦方向Ｎにおける両端縁から縦方向Ｎの内側に約３００ｍｍの距離ｔだけ互いに近づけた位置に配置されている。但し、これらの数値に限定されるものではない。
【００５２】
なお、支持レール１２の配設位置は、太陽電池モジュール本体１１の縦方向Ｎにおける両端縁と中心線αとの中央の位置とされていることが好ましい。こうすることで、支持レール１２〜１２にかかる太陽電池モジュール本体１１の重量をさらにバランス良く分散させることができ、これにより、支持レール１２〜１２への重量配分をさらに均一にすることが可能となる。
【００５３】
図７は、図１乃至図６に示す支持レール１２を示す概略斜視図であり、図８は、図１乃至図６に示す支持レール１２を示す概略断面図である。また、図９は、各太陽電池モジュール本体１１が設けられた支持レール１２を縦方向Ｎから視た概略側面図である。
【００５４】
支持レール１２は、長尺状の主板１２ａ、主板１２ａの横方向Ｔにおける長辺側の両辺で折り曲げられた各側板１２ｂ，１２ｂ、及び、各側板１２ｂ，１２ｂの下辺で内側に折り曲げられて更に上方に折り曲げられた折返し補強部１２ｃ，１２ｃを有している。また、支持レール１２は、各側板１２ｂの両端部下側及び各折返し補強部１２ｃの両端部が設置端部１２ｄとなっている。さらに、支持レール１２の主板１２ａは、上面に、縦方向Ｎにおける両端及びその途中に太陽電池モジュール本体１１を勘合させる段差部１２ｇ，１２ｇ，…を有している。本実施の形態では、１本の支持レール１２に対し、３枚の太陽電池モジュール本体１１，１１，１１を均等に配置するため、縦方向Ｎにおける両端の２カ所及び三等分点近傍となる２カ所の計４カ所に段差部１２ｇ，１２ｇ，…が略等間隔で形成されている。かかる構成を備えた支持レール１２は、鋼板を打ち抜いて折り曲げ、プレス等の加工を行い、その表面にメッキを施すことで形成することができる。
【００５５】
支持レール１２は、略リップ溝形鋼の形状（Ｕ字状の断面形状）により曲げ強度の向上を実現させることができる。このため、支持レール１２により太陽電池モジュール本体１１を強固に支持することが可能となる。
【００５６】
詳しくは、各支持レール１２，１２は、横方向Ｔにおける長さｄ１（図９参照）がサブユニット１０における各太陽電池モジュール本体１１〜１１全体の横方向Ｔにおける長さｄ２（図９参照）よりも若干大きくなっている。そして、サブユニット１０における各太陽電池モジュール本体１１〜１１全体の左右方向Ｘにおける両端位置から突き出した、各支持レール１２，１２の左右方向Ｘにおける両端部の付き出し量ｄ３（図９参照）を互いに一致させている。
【００５７】
段差部１２ｇ，１２ｇ，…は、支持レール１２に対し、プレス等の加工方法にて、太陽電池モジュール本体１１を勘合させる部位を凹状に成型することで形成される。支持レール１２上で、凹状に形成された勘合凹部１２ａ１を挟んで対となる段差部１２ｇ，１２ｇの間隔は、太陽電池モジュール本体１１の短辺の長さに対して略一致している。よって、図９に示すように、太陽電池モジュール本体１１の長辺が、支持レール１２の長手方向と略直角をなすように、太陽電池モジュール本体１１を支持レール１２に勘合させ、対となる段差部１２ｇ，１２ｇにより、太陽電池モジュール本体１１の一対の長辺を挟持させることができる。これにより、太陽電池モジュール本体１１を支持レール１２の適切な位置に固定することが可能となる。
【００５８】
なお、勘合凹部１２ａ１を挟んで対となる段差部１２ｇ，１２ｇの間隔を、太陽電池モジュール本体１１の短辺の長さより、若干長くするようにしても良い。具体的には、段差部１２ｇ，１２ｇの間隔が、太陽電池モジュール本体１１の短辺より１０ｍｍ程度長くなるように遊びを設け、太陽電池モジュール本体１１の位置決めができる程度に勘合させるように設計しても良い。即ち、本発明において、段差部１２ｇ，１２ｇに対する太陽電池モジュール本体１１の勘合とは、段差部１２ｇ，１２ｇ間と太陽電池モジュール本体１１とが隙間無く勘合することのみを指すのではなく、若干の遊びをもった勘合、いわゆる遊勘をも含む概念である。
【００５９】
＜サブユニットの接合構造の説明＞
次に、左右方向Ｘに隣り合う各サブユニット１０，１０の接合構造を図１０から図１４を参照しながら以下に説明する。
【００６０】
図１０は、縦桟２３に受け部２５が取り付け固定される状態を斜め上から視た概略斜視図である。なお、一つの縦桟２３には、複数（ここでは４個）の受け部２５が設けられるが、縦桟２３及び受け部２５の取り付け構成は、何れも実質的に同様の構成とされているため、図１０及び後述する図１１乃至図１４において、１箇所の縦桟２３及び受け部２５の取り付け構成に代表させて示している。
【００６１】
図１１は、縦桟２３に受け部２５が取り付け固定される状態を斜め下から視た概略斜視図である。図１２は、縦桟２３に受け部２５が取り付け固定された状態を示す図１０及び図１１のＤ１−Ｄ１線に沿った概略断面図である。図１３は、縦桟２３に固定された受け部２５に対して左右方向Ｘに隣り合う各支持レール１２，１２における設置端部１２ｄ，１２ｄが突き合わされて固定具２４で固定される状態を斜め上から視た概略分解斜視図である。また、図１４は、縦桟２３に固定された受け部２５に対して左右方向Ｘに隣り合う各支持レール１２，１２における設置端部１２ｄ，１２ｄが突き合わされて固定具２４で固定された状態を示す図１０及び図１１のＤ２−Ｄ２線に沿った概略断面図である。
【００６２】
図１０乃至図１４に示すように、縦桟２３の搭載傾斜面２３ａを構成する上側の側板２３ｂの受け部２５を設ける位置に、雄ねじＳ１を通過させる貫通孔２３ｃが設けられている。
【００６３】
受け部２５は、縦桟２３の搭載傾斜面２３ａに設けられる設置板２５ａ、及び、上下傾斜方向Ｗにおいて設置板２５ａの両側の端部で上方に折り曲げられた各側板２５ｂ，２５ｂを有している。設置板２５ａには、雄ねじＳ１のねじ部Ｓ１ａを螺合する雌ねじ孔２５ｅが設けられている。縦桟２３の貫通孔２３ｃは、雄ねじＳ１と螺合する受け部２５の雌ねじ孔２５ｅのサイズよりも大きく、かつ、雄ねじＳ１の頭部Ｓ１ｂのサイズよりも小さいサイズとされている。かかる構成を備えることにより、受け部２５は、縦桟２３における上側の側板２３ｂに配置された状態で、雄ねじＳ１が側板２３ｂの下方側から貫通孔２３ｃを通過して受け部２５の雌ねじ孔２５ｅと螺合することで、受け部２５を縦桟２３の上側の側板２３ｂに確実に固定させることができる。
【００６４】
詳しくは、設置板２５ａの底面２５ｃ（図１１、図１２及び図１４参照）には、上下傾斜方向Ｗにおける受け部２５の移動を許容する一方、左右方向Ｘにおける受け部２５の移動を規制する規制リブ２５ｄ（図１１、図１２及び図１４参照）が設けられている。規制リブ２５ｄは、左右方向Ｘにおいて縦桟２３における上側の側板２３ｂの左右方向Ｘにおける幅と同程度の間隔をおいて設けられている。雌ねじ孔２５ｅは、左右方向Ｘにおいて間隔をおいて設けられた規制リブ２５ｄ〜２５ｄの間に位置している。かかる構成を備えることにより、受け部２５は、縦桟２３における上側の側板２３ｂに配置されて規制リブ２５ｄ〜２５ｄにより左右方向Ｘへの移動を規制された状態で、雄ねじＳ１が側板２３ｄの下方側から側板２３ｄにおける貫通孔２３ｃを通過して受け部２５における雌ねじ孔２５ｅと螺合することで、受け部２５を縦桟２３における上側の側板２３ｂに確実に固定させることができる。具体的には、規制リブ２５ｄ〜２５ｄは、上下傾斜方向Ｗにも間隔をおいて設けられている。規制リブ２５ｄ〜２５ｄは、ここでは、左右方向Ｘに２箇所、上下傾斜方向Ｗに２箇所の合計４箇所設けられている。雌ねじ孔２５ｅは、４箇所の規制リブ２５ｄ〜２５ｄを通る対角線の交点の中心に位置している。こうすることで、縦桟２３の上側の側板２３ｂにおける貫通孔２３ｃと受け部２５の設置板２５ａにおける雌ねじ孔２５ｅとの位置合わせを行い易くすることができ、それだけ取り付け作業性を向上させることが可能となる。
【００６５】
図１３及び図１４に示すように、固定具２４は、底板２４ａと、上下傾斜方向Ｗにおける底板２４ａの対向２辺で斜め上方外側に折り曲げられた各傾斜板２４ｂ，２４ｂと、各傾斜板２４ｂ，２４ｂの上辺２４ｃ，２４ｃで下方に折り曲げられた各側板２４ｄ，２４ｄとを有している。かかる構成を備えた固定具２４は、鋼板を打ち抜いて折り曲げ、その表面にメッキを施すことで形成することができる。本実施の形態では、各側板２４ｄ，２４ｄの下端２４ｅが左右方向Ｘに沿って多数の三角山形状（三角歯状）に形成されている。こうすることで、支持レール１２，１２の設置端部１２ｄ，１２ｄを受け部２５に確実に保持固定させることができる。
【００６６】
そして、固定具２４の底板２４ａには、雄ねじＳ１のねじ部Ｓ１ａを通過させる貫通孔２４ｆが設けられている。また、固定具２４の底板２４ａには、貫通孔２４ｆを介して左右方向Ｘの両側の対称位置に、二つの雄ねじＳ２，Ｓ２とそれぞれ螺合する二つの雌ねじ孔２４ｇ，２４ｇ（図１３参照）が設けられている。また、受け部２５には、固定具２４に設けられた二つの雌ねじ孔２４ｇ，２４ｇにそれぞれ螺合される二つの雄ねじＳ２，Ｓ２のねじ部Ｓ２ａ，Ｓ２ａを通過させる二つの貫通孔２５ｈ，２５ｈ（図１３参照）が、雌ねじ孔２５ｅを介して左右方向Ｘの両側の対称位置に設けられている。二つの貫通孔２５ｈ，２５ｈは、それぞれ、二つの雌ねじ孔２４ｇ，２４ｇのサイズよりも大きく、かつ、二つの雄ねじＳ２，Ｓ２の頭部Ｓ２ｂ，Ｓ２ｂのサイズよりも小さいサイズとされている。かかる構成を備えることにより、固定具２４は、受け部２５の設置板２５ａに載置されて突き合わされた左右方向Ｘに隣り合う各支持レール１２，１２の設置端部１２ｄ，１２ｄ上に載置された状態で、二つの雄ねじＳ２，Ｓ２が受け部２５の二つの貫通孔２５ｈ，２５ｈをそれぞれ通過して固定具２４の二つの雌ねじ孔２４ｇ，２４ｇと螺合することで、受け部２５に固定された固定具２４により左右方向Ｘに隣り合う各支持レール１２，１２の設置端部１２ｄ，１２ｄを、受け部２５に確実に固定することができる。
【００６７】
詳しくは、二つの雌ねじ孔２４ｇ，２４ｇは、それぞれの中心が貫通孔２４ｆの中心β（図１３参照）を間にして左右方向Ｘの両側において左右方向Ｘに平行で中心βを通る仮想直線γ（図１３参照）上に位置している。片方の雌ねじ孔２４ｇと貫通孔２４ｆの中心βとの距離及びもう片方の雌ねじ孔２４ｇと貫通孔２４ｆの中心βとの距離は同一距離とされている。
【００６８】
本実施の形態では、太陽電池モジュール本体１１は、複数が平行に連接されており、支持レール１２，１２は、複数の太陽電池モジュール本体１１〜１１の裏面に接着剤Ｂを介して接着されている。これにより、簡単な構成でサブユニット１０の大型化を実現することが可能となる。
【００６９】
そして、サブユニット１０〜１０を設置するにあたっては、隣り合う各サブユニット１０，１０を概ね隙間なく隣接させて配置した状態で、受け部２５の設置板２５ａと各太陽電池モジュール本体１１〜１１の裏面との間に設けられる開口部位を通じて、各支持レール１２〜１２における設置端部１２ｄ，１２ｄを固定具２４により架台２０に固定するための作業を行うことができる。これにより、隣り合う各サブユニット１０，１０を概ね隙間なく隣接させて配置した状態で各サブユニット１０，１０を確実に固定することができる。従って、隣り合う各サブユニット１０，１０の間のスペースを削減しつつ発電効率を増大させることが可能となる。また、各サブユニット１０，１０の裏面側においては、固定具２４や架台２０のサイズ等を格別に制約することなく、固定具２４や架台２０の強度を維持することができ、これにより、サブユニット１０〜１０の安定した支持構造の支持強度を確保することができる。
【００７０】
なお、受け部２５の設置板２５ａに載置されて突き合わされた左右方向Ｘに隣り合う各支持レール１２，１２の設置端部１２ｄ，１２ｄ上へ固定具２４を裏側から載置する載置作業は、次のようにして行うことができる。
【００７１】
すなわち、受け部２５の設置板２５ａに載置された一方の支持レール１２の設置端部１２ｄ近傍において、支持レール１２における折返し補強部１２ｃ，１２ｃに囲まれて下方に開放する開口１２ｅ（図７、図８及び図１４参照）から、固定具２４を一方の支持レール１２の長手方向（左右方向Ｘ）に沿わせた状態で斜めに傾斜又は９０°回転させて開口１２ｅに挿入し、支持レール１２内で固定具２４を元の姿勢に戻してから、左右方向Ｘに移動させて受け部２５上に位置させ、受け部２５の雌ねじ孔２５ｅに螺合されて上方に突出している雄ねじＳ１のねじ部Ｓ１ａに固定具２４の貫通孔２４ｆを上方から嵌め合わせることで、固定具２４を受け部２５に載置（より正確には、固定具２４の各側板２４ｄ，２４ｄを支持レール１２，１２の設置端部１２ｄ，１２ｄの折返し補強部１２ｃ，１２ｃの内面に載置）させることができる。
【００７２】
これにより、固定具２４の二つの雌ねじ孔２４ｇ，２４ｇと受け部２５の二つの貫通孔２５ｈ，２５ｈとの位置がほぼ一致するので、後は、受け部２５の下側から二つの雄ねじＳ２，Ｓ２のねじ部Ｓ２ａ，Ｓ２ａを受け部２５の二つの貫通孔２５ｈ，２５ｈをそれぞれ通過させて固定具２４の二つの雌ねじ孔２４ｇ，２４ｇに螺合させることで、支持レール１２，１２の設置端部１２ｄ，１２ｄを受け部２５、すなわち縦桟２３に固定することができる。
【００７３】
また、支持レール１２の左右方向Ｘにおける隣にサブユニット１０が存在しない側（終端位置）の設置端部１１ｄの受け部２５への固定は、ここでは、支持レール１２の終端位置の設置端部１１ｄのみを受け部２５に載置して固定具２４を取り付けることで行っている。
【００７４】
＜太陽電池モジュールの他の形態の説明＞
次に、本発明を適用した他の形態について図１５乃至図１７を参照しながら以下に説明する。
【００７５】
図１５は、図１乃至図６に示す支持レール１２の他の形態を示す概略斜視図であり、図１６は、図１乃至図６に示す支持レール１２の他の形態を示す概略断面図である。また、図１７は、各太陽電池モジュール本体１１が設けられた支持レール１２の他の形態を縦方向Ｎから視た概略側面図である。即ち、図１５乃至図１７は、図７乃至図９の他の形態を示している。
【００７６】
支持レール１２は、長尺状の主板１２ａ、主板１２ａの横方向Ｔにおける長辺側の両辺で折り曲げられた各側板１２ｂ，１２ｂ、及び、各側板１２ｂ，１２ｂの下辺で内側に折り曲げられて更に上方に折り曲げられた折返し補強部１２ｃ，１２ｃを有している。また、支持レール１２は、各側板１２ｂの両端部下側及び各折返し補強部１２ｃの両端部が設置端部１２ｄとなっている。さらに、支持レール１２の主板１２ａは、上面に、縦方向Ｎにおける両端の２カ所及び三等分点近傍となる２カ所の計４カ所に階段状の段差部１２ｈ，１２ｈ，…を有している。
【００７７】
図１５乃至図１７に示す階段状の段差部１２ｈ，１２ｈ，…は、太陽電池モジュール本体１１を勘合させる部位が上下２段の凹状になるように、プレス等の加工方法にて形成されている。各段差部１２ｈ，１２ｈ，…の上段は、太陽電池モジュール本体１１の裏面が接する載置面１２ｉ１，１２ｉ１，…を有する載置段１２ｉ，１２ｉ，…であり、下段は、太陽電池モジュール本体１１を接着固定する接着剤を塗布する接着面１２ｊ１，１２ｊ１，…を有する接着段１２ｊ，１２ｊ，…である。段差部１２ｈ，１２ｈ，…の載置段１２ｉ，１２ｉ，…には、載置面１２ｉ１，１２ｉ１，…に対して上方へ直角をなす側面１２ｉ２，１２ｉ２，…が、太陽電池モジュール本体１１を挟んで向かい合うように対として設けられている。また、太陽電池モジュール本体１１を挟んで向かい合う段差部１２ｈ，１２ｈ間の接着面１２ｊ１は、向かい合う段差部１２ｈ，１２ｈ，…に挟まれて形成される凹状部の底面であり、接着剤を均一に塗布すべき一つの面として形成されている。接着段１２ｊ，１２ｊ，…には、接着剤を塗布し、塗布した接着剤により太陽電池モジュール本体１１が接着固定される。このため、接着面１２ｊ１，１２ｊ１，…から載置面１２ｊ１，１２ｊ１，…までの高さは、接着剤を塗布して形成する接着層の厚みが確保できる寸法、具体的には３ｍｍに設計される。
【００７８】
＜太陽電池モジュールの固定方法の説明＞
このように構成された階段状の段差部１２ｈ，１２ｈ，…を有する支持レール１２に太陽電池モジュール本体１１，１１，…を固定する工程について説明する。
【００７９】
図１８Ａ乃至図１８Ｄは、本発明に係る太陽電池モジュール本体１１を支持レール１２に固定する工程を示す概略図である。図１８Ａ乃至図１８Ｄは、太陽電池モジュール本体１１の固定方法を縦方向Ｎから視た概略斜視図として示している。
【００８０】
図１８Ａは、上述したように階段状の段差部１２ｈ，１２ｈ，…を形成した支持レール１２を示している。図１８Ｂは、図１８Ａとして示した支持レール１２に対し、接着段１２ｊ，１２ｊ，…の接着面１２ｊ１，１２ｊ１，…に接着剤を塗布する工程を示している。即ち、接着段１２ｊ，１２ｊ，…は、接着剤の塗布代としての機能を有する。
【００８１】
図１８Ｃは、支持レール１２の載置段１２ｉ，１２ｉ，…に太陽電池モジュール本体１１，１１，…を載置する工程を示している。また、図１８Ｄは、図１８Ｃに示すように載置した太陽電池モジュール本体１１，１１，…を接着固定する工程を概念的に示している。図１８Ｄに示すように、太陽電池モジュール本体１１，１１，…の裏面は、接着段１２ｊ，１２ｊに塗布された接着層に接触し、更に図中の白抜き矢印で示す方向に押圧した状態、又は自重により加圧した状態で養生することにより接着固定される。太陽電池モジュール本体１１の載置段１２ｉへの載置は、太陽電池モジュール本体１１を、載置面１２ｉ１及び側面１２ｉ２，１２ｊ２にて形成される凹部に勘合させるようにして行われる。即ち、太陽電池モジュール本体１１の長辺が、支持レール１２の長手方向と略直角をなすように、太陽電池モジュール本体１１を支持レール１２に勘合させ、対となる載置段１２ｉ，１２ｉの側面１２ｉ２，１２ｉ２により、太陽電池モジュール本体１１の一対の長辺を挟持させる。これにより、接着層の厚みを確保しつつ、太陽電池モジュール本体１１を支持レール１２の適切な位置に接着固定することが可能となる。
【００８２】
その他の構成については、図１乃至図１４を用いて説明した形態と同様であるので、これらの説明を参照するものとし、その詳細な説明を省略する。
【００８３】
前記実施の形態は、本発明の無数に存在する実施例の一部を開示したに過ぎず、目的、用途、仕様等の様々な要因を考慮して適宜設計することが可能である。例えば、太陽電池モジュール本体を勘合させる段差部を凹状に形成するのではなく、突起部を設けて段差部を形成するようにしても良い。
【００８４】
また、例えば、支持レールに載置する太陽電池モジュール本体の向きを変更し、太陽電池モジュール本体の短辺が、支持レールの長手方向と略直角をなすように勘合させ、太陽電池モジュール本体の一対の短辺を、対となる段差部にて挟持することで固定するようにしても良い。
【００８５】
さらに、前記実施の形態では、太陽電池モジュール本体を支持レールに対して接着剤を用いて接着固定する形態を示したが、本発明の固定法は、接着剤を用いた接着固定に限るものではない。例えば、両面に接着機能を有する接着シート等の接着剤以外の接着部材を用いるようにしてもよく、更には、螺子、金具等の接着部材以外の手法にて固定する等、様々な形態に適宜展開することが可能である。
【符号の説明】
【００８６】
１０      サブユニット（太陽電池モジュールの一例）
１１      太陽電池モジュール本体
１１ｇ    裏面
１２      支持レール（サポート部材の一例）
１２ａ    主板
１２ａ１  勘合凹部
１２ｇ    段差部
１２ｈ    段差部
１２ｉ    載置段
１２ｉ１  載置面
１２ｉ２  側面
１２ｊ    接着段
１２ｊ１  接着面
Ａ        太陽光発電システム
Ｂ        接着剤
Ｌ        長手方向
Ｍ        幅方向
Ｎ        縦方向
Ｔ        横方向
Ｚ        上下方向
【図１】
2014011196.tif 000003
【図２】
2014011196.tif 000004
【図３】
2014011196.tif 000005
【図４】
2014011196.tif 000006
【図５】
2014011196.tif 000007
【図６】
2014011196.tif 000008
【図７】
2014011196.tif 000009
【図８】
2014011196.tif 000010
【図９】
2014011196.tif 000011
【図１０】
2014011196.tif 000012
【図１１】
2014011196.tif 000013
【図１２】
2014011196.tif 000014
【図１３】
2014011196.tif 000015
【図１４】
2014011196.tif 000016
【図１５】
2014011196.tif 000017
【図１６】
2014011196.tif 000018
【図１７】
2014011196.tif 000019
【図１８Ａ】
2014011196.tif 000020
【図１８Ｂ】
2014011196.tif 000021
【図１８Ｃ】
2014011196.tif 000022
【図１８Ｄ】
2014011196.tif 000023